(57)【特許請求の範囲】
【請求項１】
液体の内容物を収容する容器１１０と；
前記容器１１０の入口に取り付けられ、ポンピング作動によって容器に収容された内容物を外部に排出し、ポンピング動作時、空気遮断部材１３０の内部に外部空気が流れ込める空気流入口１２８が形成されたポンピングキャップ１２０と；
前記ポンピングキャップ１２０に取り付けられ、ポンピング作動によって容器に収容された内容物１０５を吸い込む吸入ライン１４０と；
ポンピング作動によって容器から排出される内容物の体積ほどその内部に空気を受け入れて、前記容器１１０内に残留する内容物１０５が流れ込む空気と接触することを予め防止するため、Ｏ−リング１３２によって締結キャップ１２４の底面に一体的に取り付けられた空気遮断部材１３０と；を備え、
前記空気遮断部材１３０は、前記吸入ライン１４０の吸入口を露出させながら前記吸入ライン１４０を包むように結合された下部と、前記ポンピングキャップのポンピング部１２２を包みながら、前記容器の入口と面接する前記締結キャップ１２４の底面でＯ−リング１３２によって一体的に密着固定された上部とを有し、排出される内容物１０５の体積と同量の空気を受け入れて膨張する一体型空気捕集部１３０である
ことを特徴とする空気遮断型ポンピング容器。
【発明の詳細な説明】
【技術分野】
【０００１】
本発明は、ポンピング容器に関し、詳しくは、容器内に収容された内容物が密閉された状態で保持される空気遮断型ポンピング容器に関する。
【背景技術】
【０００２】
一般に、エマルジョンローション、スキンローションのような化粧品、香水、シャンプー、リンス及び液体洗剤などの流体は殆ど一定の容器に入れられて保管され、使用するときは容器の入口を通じて一定量ずつ排出して使用する。
このとき、容器の内部に収容された液状の内容物を定量排出するため、上下ポンピング運動をするポンピング部が適用されたポンピングキャップが用いられ、このように上下ポンピング運動をするポンピングキャップが適用された容器をポンピング容器と称する。
【０００３】
前記ポンピング容器は、ポンピングキャップのポンピング部を１回押す度に一定量の内容物が容器の外部に排出されるため、流体の無駄な使用を防止できるだけでなく、液状の内容物を使用するときに容器を開放せずに済むため、容器の内部に異物が入り込むことを防止する効果も期待できる。また、容器に収容された液状の内容物に揮発性の成分が含まれている場合、容器の開放で揮発性物質が大気中に揮散することを遮断でき、液状の内容物の成分が変わることを防止する効果があるため、その使用及び普及が段々拡がっている有用な物品であると言える。
【０００４】
このような用途で使用されているポンピング容器に関する技術が、特許文献１に開示されている。
上記文献のポンピング容器は、内容物を収容する本体と、前記容器の入口に取り付けられ、押下部、管部材を含むポンピング部と、前記ポンピング部に連結された吸入ラインとを含む構成を有する。
【０００５】
このような構成を有する従来のポンピング容器は、前記ポンピング部の管部材を作動させて内容物を排出または噴出させて使用する場合、前記内容物の使用量ほど外部の空気が容器の内部に流れ込むようになる。
ポンピング容器の内部に収容された内容物は、流れ込んだ空気と接触する場合、空気中に含まれている細菌、かびまたは微生物などによって変質する恐れがある。また、前記内容物を長期間保管するときは、空気中の酸素によって内容物が酸化変質するという問題がある。
【先行技術文献】
【特許文献】
【０００６】
【特許文献１】韓国特許公開第１０−２０１３−００７００２３号
【発明の概要】
【発明が解決しようとする課題】
【０００７】
上述した問題点を解決するため、本発明は、容器から排出される内容物の体積ほどその内部に空気を受け入れて捕集することで、前記容器内に残留する内容物が流れ込む空気と接触することを予め防止する空気遮断部材を含む空気遮断型ポンピング容器を提供することを目的とする。
【課題を解決するための手段】
【０００８】
上記の目的を達成するため、本発明による空気遮断型ポンピング容器は、液体の内容物を収容する容器と、前記容器の入口に取り付けられ、ポンピング作動によって容器に収容された内容物を外部に排出するポンピングキャップと、前記ポンピングキャップに取り付けられてポンピング作動によって内容物を吸い込む吸入ラインと、ポンピング作動によって容器から排出される内容物の体積ほどその内部に空気を受け入れて捕集することで、前記容器内に残留する内容物が流れ込む空気と接触することを予め防止する空気遮断部材と、を含む構造を有する。
【０００９】
前記空気遮断型ポンピング容器の一実施例において、前記ポンピングキャップとしては、ポンピング動作時、前記空気遮断部材の内部に外部空気が流れ込む空気流入口が形成されているものを使用することができる。
一例として、前記空気遮断部材は、膨張したときに容器の内部を完全に満たせる大きさの空気捕集部であって、前記吸入ラインとポンピングキャップのポンピング部を収容しながら、その下端は前記吸入ラインの吸入口が露出するように前記吸入ラインの下部と結合され、その上端は前記容器の入口と面接する前記ポンピングキャップの締結キャップの底面に密着固定される構造を有し得る。
他の例として、前記空気遮断部材は、前記吸入ラインの吸入口を露出させながら前記吸入ラインを包む下部と、ポンピングキャップのポンピング部を包みながら前記容器の入口と面接する前記ポンピングキャップの締結キャップの底面に一体的に密着固定した上部と、を有することで、排出される内容物の体積と同量の空気を捕集できるように膨張する空気捕集部である。
【発明の効果】
【００１０】
本発明の空気遮断型ポンピング容器によれば、容器に収容された液体内容物の使用量ほどその内部に同量の空気を受け入れることで、前記容器内に残留する内容物が流れ込む空気と接触することを予め遮断することができる。
すなわち、前記空気遮断型ポンピング容器は、空気遮断部材によって前記容器内に収容された内容物が空気と接触せず、常に密閉された状態を保持できるため、前記内容物の汚染又は酸化で内容物の流通期間が急激に短くなる問題を防止することができる。
また、このような空気遮断型ポンピング容器は、その内部に収容された液状の内容物と空気との接触を予め遮断することができ、防腐剤または保存剤を使用しない天然化粧品の容器として好適である。
【図面の簡単な説明】
【００１１】
【図１】本発明の一実施例による空気遮断型ポンピング容器を概略的に示した断面図
【図２】図１の空気遮断型ポンピング容器の内容物の排出による空気遮断部材の状態変化を示した断面図
【発明を実施するための形態】
【００１２】
本発明の空気遮断型ポンピング容器は、液体の内容物を収容する容器と、前記容器の入口に取り付けられ、ポンピング作動によって容器に収容された内容物を外部に排出するポンピングキャップと、前記ポンピングキャップに取り付けられてポンピング作動によって内容物を吸い込む吸入ラインと、ポンピング作動によって容器から排出される内容物の体積ほどその内部に空気を受け入れて捕集することで、前記容器内に残留する内容物が流れ込む空気と接触することを予め防止する空気遮断部材と、を含む構造を有する。
【００１３】
以下、添付された図面を参照して本発明の実施例による空気遮断型ポンピング容器について詳しく説明する。本発明は多様に変更でき、様々な形態を有し得るため、特定の実施例を図面に例示して詳細に説明することにする。しかし、これは本発明を特定の開示形態で限定するものではなく、本発明の思想及び技術範囲に含まれるすべての変更、均等物ないし代替物を含む。各図面の説明において、類似の構成要素に対しては類似の部材番号を付した。添付された図面において、構造物の寸法は、本発明を明確に説明するため、実際より拡大して示した。
第１、第２などの用語は多様な構成要素を説明するために使用されたものであり、本発明の構成要素がこのような用語によって限定されてはならない。上記の用語は一つの構成要素を他の構成要素と区別する目的のみで使用される。例えば、本発明の権利範囲から逸脱せず、第１構成要素は第２構成要素として呼称され得、同様に第２構成要素も第１構成要素として呼称され得る。
本出願で使用した用語は特定の実施例を説明するために使用されただけで、本発明を限定するものではない。単数の表現は、明示しない限り、複数の表現を含む。本出願において、「含む」または「有する」などの用語は明細書上に記載された特徴、数字、段階、動作、構成要素、部分品またはこれらの組合せが存在することを指定しようとするものであって、１つまたはそれ以上の他の特徴や数字、段階、動作、構成要素、部分品またはこれらの組合せなどの存在または付加可能性を予め排除するものではない。
一方、明示しない限り、技術的または科学的な用語を含めてここで使用される全ての用語は、本発明が属する技術分野で通常の知識を持つ者によって一般的に理解されるものと同じ意味を持っている。
一般に使用される辞書に定義されている用語は、関連技術の文脈上有する意味と同じ意味を有し、本出願で明示しない限り、理想的又は過剰に形式的な意味で解釈されない。
【００１４】
図１は、本発明の一実施例による空気遮断型ポンピング容器を概略的に示した断面図である。
図１を参照すれば、本発明の一実施例による空気遮断型ポンピング容器１００は、液体の内容物１０５を収容する容器１１０、ポンピング作動によって収容された内容物を外部に排出するポンピングキャップ１２０、前記ポンピング作動によって内容物を吸い込む吸入ライン１４０、及び容器内に残留する内容物が流れ込む空気と接触することを予め防止する空気遮断部材１３０を含む構成を有する。
【００１５】
容器１１０は、液体の内容物を収容する空間を有する収容部であって、射出成形を通じて製造することができる。このとき、容器１１０入口の外周面にはポンピングキャップと締結できるねじ線が形成されている。一例として、本発明で適用される容器１１０は、円型、瓢型、シリンダー型、四角柱型などの多様な形態を有し得る。
図示された容器１１０は、一例に過ぎず、従来の多様な化粧品容器やシャンプー容器、噴霧容器など多様な形態のものを採用できる。また、前記容器に収容された内容物は液体状態の物質であって、化粧品、飲食品、シャンプーなどを含む。
【００１６】
ポンピングキャップ１２０は、前記容器１１０の入口に取り付けられ、ポンピング部１２２のポンピング作動によって前記容器内に収容された液体の内容物を外部に排出する構成を有する。
一例として、本発明に適用されるポンピングキャップ１２０は、従来広く使用されるポンピングキャップと同じ構造を有するが、大きくポンピングヘッド１２６、ポンピング部１２２、容器にポンピング部を固定する締結キャップ１２４を含む構成を有し得る。
【００１７】
特に、本発明の空気遮断型ポンピング容器１００に適用されるポンピングキャップ１２０の場合、ポンピング部１２２のポンピング動作を通じて外部に排出される内容物による容器内部の圧力減少によって、前記空気遮断部材１３０の内部に外部空気が流れ込める空気流入口１２８が形成されていることを特徴とする。
一例として、前記空気流入口１２８は、ポンピングキャップ１２０に含まれた締結キャップ１２４の上部を貫通し、空気遮断部材１３０と連通する構造を有する。
【００１８】
吸入ライン１４０は、前記ポンピングキャップのポンピング部１２２の一端に連結され、ポンピングキャップに含まれたポンピング部のポンピング作動によって前記容器１１０内に収容された内容物を吸入ラインの吸入口から吸い込んだ後、最後にはポンピングキャップに含まれたポンピングヘッド１２６を通って外部に排出できる長さを有する。
空気遮断部材１３０は、ポンピング作動によって容器１１０内から排出される内容物の体積ほどその内部に空気を受け入れて捕集することで、前記容器内に残留する内容物１０５が流れ込む空気と接触することを予め防止する役割を果たす。
【００１９】
一例として、前記空気遮断部材１３０は、容器１１０の内部に収容された内容物を密閉された状態で保持させるために前記容器１１０内に備えられ、ポンピングキャップ１２０に含まれたポンピング部１２２のポンピング作用によって前記容器から排出される内容物１０５の体積ほどその内部に空気を受け入れて膨脹する構造を有する空気捕集袋である。一例として、前記空気捕集袋はビニール材質の袋で製造することができる。
具体的に、本発明の空気遮断部材１３０は、膨張したときに容器１１０の内部を完全に満たせる大きさの空気捕集袋であって、前記吸入ライン１４０とポンピングキャップ１２０のポンピング部を収容する大きさを有しながら、その下端は前記吸入ラインの吸入口が露出するように前記吸入ライン１４０下部の外面に一体的に結合または固定され、その上端は前記容器１１０の入口と面接する前記ポンピングキャップの締結キャップの底面に密着固定される構造を有する。
このとき、前記空気遮断部材１３０の上端は、Ｏ−リングのような密着部材１３２によって前記ポンピングキャップ１２０の締結キャップの底面に密着固定され、一体的に取り付けられた状態を有し得る。
【００２０】
図２は、図１の空気遮断型ポンピング容器の内容物の排出による空気遮断部材の状態変化を示した図である。
図２に示されたように、ポンピングキャップのポンピング部１２２と吸入ライン１４０を包むように取り付けられた空気遮断部材（空気捕集袋）の場合、前記ポンピングキャップの締結キャップ１２４に形成された空気流入口１２８と連通しているため、ポンピング部１２２のポンピング作用によって容器から排出される内容物の体積ほど前記空気流入口１２８から空気を受け入れて膨張することができる。
【００２１】
すなわち、前記空気遮断部材１３０の膨張は、密閉された容器１１０の内部に収容された内容物が排出されるとき、その容器１１０内部の圧力低下で発生する力によって前記空気流入口１２８から空気が流れ込むことで行われる。
これにより、前記ポンピング容器１００に内容物を入れて使用する場合、空気が容器の内部に流れ込まず、空気遮断部材１３０の内部に流れ込む構造を有するため、内容物１０５が汚染した空気と接触することを防止できる密閉された状態で内容物を保持することができる。このように内容物を密閉された状態で保持すれば、容器１１０内に収容された内容物が変質又は酸化するという問題を防止することができる。
【産業上の利用可能性】
【００２２】
本発明による空気遮断型ポンピング容器は、洗剤、飲み物、化粧品を保管する容器として適用でき、産業上有用である。
【要約】本発明による空気遮断型ポンピング容器は、液体の内容物を収容する容器と、前記容器の入口に取り付けられ、ポンピング作動によって容器に収容された内容物を外部に排出するポンピングキャップと、前記ポンピングキャップに取り付けられ、前記ポンピング作動によって内容物を吸い込む吸入ラインと、ポンピング作動によって容器から排出される内容物の体積ほどその内部に空気を受け入れて捕集することで、前記容器内に残留する内容物が流れ込む空気と接触することを予め防止する空気遮断部材と、を備える。このような空気遮断型ポンピング容器は、容器内に収容された内容物が空気と接触しないように常に密閉された状態を保持できるため、内容物が汚染して変質又は酸化し、内容物の流通期間が急激に短くなる問題を防止することができる。
【選択図】図１【図１】
0005798703.tif 000002
【図２】
0005798703.tif 000003